(57)【要約】【課題】浮遊汚れの残留を抑制でき、かつ清掃性を向上できる排水トラップを提供する。【解決手段】排水トラップであって、上部に形成された入水口と、側部に形成された出水口と、を有し、内部に水を一時的に貯留することが可能なトラップ本体と、前記トラップ本体の内部に配置され、前記トラップ本体とともに封水を形成する板状の隔壁部材と、を備え、前記隔壁部材は、前記トラップ本体の側壁よりも前記入水口の内側に突出することなく前記出水口の内部に配置されることを特徴とする。【選択図】図１
2017201082.tif 000002
【特許請求の範囲】
【請求項１】
排水トラップであって、
上部に形成された入水口と、側部に形成された出水口と、を有し、内部に水を一時的に貯留することが可能なトラップ本体と、
前記トラップ本体の内部に配置され、前記トラップ本体とともに封水を形成する板状の隔壁部材と、
を備え、
前記隔壁部材は、前記トラップ本体の側壁よりも前記入水口の内側に突出することなく前記出水口の内部に配置されることを特徴とする排水トラップ。
【請求項２】
前記出水口において、前記隔壁部材によって塞がれてない部分で形成される開口断面の形状は、鉛直方向よりも水平方向のほうが長い扁平形状であることを特徴とする請求項１記載の排水トラップ。
【請求項３】
前記隔壁部材は、当該排水トラップ内に水が流れていない時よりも、当該排水トラップ内に水が流れている時のほうが、前記開口断面の面積が大きくなるよう、水の流れを利用して可動または変形するよう構成されていることを特徴とする請求項１または２に記載の排水トラップ。
【請求項４】
前記隔壁部材は、前記トラップ本体に対して着脱可能に取り付けられることを特徴とする請求項１〜３のいずれか１つに記載の排水トラップ。
【発明の詳細な説明】
【技術分野】
【０００１】
本発明の態様は、一般的に、排水トラップに関する。
【背景技術】
【０００２】
流し台、洗面ボウル、浴室やシャワールームの洗い場床などには、排水管からの臭気の逆流を防止する排水トラップが設けられている。排水トラップ内の汚れを排出するためには、排水トラップの封水を新しい水に置換することが有効である。従来、排水トラップ内の汚れを排出する際には、封水の置換率を高めることを目的として、排水トラップに大流量の水を流していた。
【先行技術文献】
【特許文献】
【０００３】
【特許文献１】実開昭５０−４４７２５号公報
【特許文献２】特開２００５−９２５０号公報
【発明の概要】
【発明が解決しようとする課題】
【０００４】
排水トラップにおいて、封水を形成するために、トラップ本体に封水筒が設けられる場合がある。発明者は、このような構造の排水トラップに大流量の水を流した際、水に沈殿している沈殿汚れは排出されるものの、水に浮いている浮遊汚れは、封水筒とトラップ本体との間の凹部に残留し、排出され難いことを発見した。このため、排水トラップ内の浮遊汚れの残留を防ぐためには、封水筒を用いずに排水トラップに封水を形成する構造が考えられる。例えば、特許文献１および２に開示された排水トラップでは、トラップ本体の入水口の内側に向けて突出し、先端が垂下した部材をトラップ本体に設けることで、封水筒を用いずに封水を形成している。
【０００５】
しかし、特許文献１および２に開示された排水トラップでは、封水を形成するための部材が入水口の内側に向かって突出しているため、入水口を通してトラップ本体内部を清掃する際の妨げとなる。
本発明は、かかる課題の認識に基づいてなされたものであり、浮遊汚れの残留を抑制でき、かつ清掃性を向上できる排水トラップを提供することを目的とする。
【課題を解決するための手段】
【０００６】
第１の発明は、排水トラップであって、上部に形成された入水口と、側部に形成された出水口と、を有し、内部に水を一時的に貯留することが可能なトラップ本体と、前記トラップ本体の内部に配置され、前記トラップ本体とともに封水を形成する板状の隔壁部材と、を備え、前記隔壁部材は、前記トラップ本体の側壁よりも前記入水口の内側に突出することなく前記出水口の内部に配置されることを特徴とする排水トラップである。
【０００７】
この排水トラップによれば、大流量の洗浄水を供給した際の浮遊汚れの残留を抑制しつつ、清掃性を向上させることが可能となる。
【０００８】
第２の発明は、第１の発明において、前記出水口において、前記隔壁部材によって塞がれてない部分で形成される開口断面の形状は、鉛直方向よりも水平方向のほうが長い扁平形状であることを特徴とする排水トラップである。
【０００９】
この排水トラップによれば、鉛直方向の寸法を長くすることなく、排水性能を高めることが可能となる。
【００１０】
第３の発明は、第１または第２の発明において、前記隔壁部材は、当該排水トラップ内に水が流れていない時よりも、当該排水トラップ内に水が流れている時のほうが、前記開口断面の面積が大きくなるよう、水の流れを利用して可動または変形するよう構成されていることを特徴とする排水トラップである。
【００１１】
この排水トラップによれば、鉛直方向の寸法を長くすることなく、水の流量に応じて排水性能を一時的に高めることが可能となる。
【００１２】
第４の発明は、第１〜第３のいずれかの発明において、前記隔壁部材は、前記トラップ本体に対して着脱可能に取り付けられることを特徴とする排水トラップである。
【００１３】
この排水トラップによれば、配管内の高圧洗浄時などに隔壁部材を取り外すことで、出水口や、出水口の下流に接続された配管などの内部の洗浄が容易となり、清掃性がさらに向上する。
【発明の効果】
【００１４】
本発明の態様によれば、浮遊汚れの残留を抑制でき、かつ清掃性を向上できる排水トラップが提供される。
【図面の簡単な説明】
【００１５】
【図１】実施形態に係る排水トラップが設けられた浴室を表す斜視図である。
【図２】実施形態に係る排水トラップを表す分解斜視図である。
【図３】実施形態に係る排水トラップを表す断面斜視図である。
【図４】実施形態に係る排水トラップを表す断面図である。
【図５】実施形態に係る排水トラップが有する隔壁部材の一例を表す斜視図である。
【図６】参考例に係る排水トラップを表す断面図である。
【図７】実施形態に係る排水トラップが有する隔壁部材の他の一例を表す斜視図である。
【図８】実施形態の変形例に係る排水トラップを表す断面図である。
【発明を実施するための形態】
【００１６】
以下、本発明の実施の形態について図面を参照しつつ説明する。なお、各図面中、同様の構成要素には同一の符号を付して詳細な説明は適宜省略する。
【００１７】
実施形態に係る排水トラップは、例えば、浴室に設けられる。
図１（ａ）および図１（ｂ）は、実施形態に係る排水トラップが設けられた浴室５００を表す斜視図である。  
図１（ａ）に表すように、浴室５００には、浴槽５１０、洗い場床５２０、およびカウンタ５３０が設けられている。また、浴室５００の壁面には、不図示のドアが設けられている。
【００１８】
以降では、実施形態の説明のために、「上方」、「下方」、「前方」、「後方」、「右側方」、および「左側方」を用いる。「上方」および「下方」は、浴室５００内の使用者から見た場合を基準としている。また、浴槽５１０から洗い場床５２０に向かう方向を「右側方」とし、これと反対の方向を「左側方」としている。
【００１９】
洗い場床５２０には、排水口５２１が設けられている。排水口５２１は、洗い場床５２０の浴槽５１０側に設けられ、洗い場床５２０の前後方向の略中心に位置している。洗い場床５２０の上面は、排水口５２１へ向かって緩やかに傾斜している。
【００２０】
浴室５００の壁には、鏡、給水栓、シャワーホースなどが適宜設けられている。カウンタ５３０は、浴室５００の壁に取り付けられ、鏡や給水栓などの下方に位置している。また、カウンタ５３０は、洗い場床５２０から上方に離間している。カウンタ５３０の幅（左右方向の寸法）は、洗い場床５２０の幅と略同じである。カウンタ５３０は、図１（ｂ）に表すように、例えば、天板５３１と下カバー５３２とを有する。
【００２１】
浴室５００には、さらに排水トラップ洗浄装置６００が設けられていてもよい。排水トラップ洗浄装置６００は、実施形態に係る排水トラップの洗浄に用いられる。排水トラップ洗浄装置６００は、吐水部６１０および制御部６２０を有する。吐水部６１０は、カウンタ５３０の下に設けられ、洗い場床５２０から上方に離間している。吐水部６１０は、例えば、カウンタ５３０の左右方向における中央付近に設置されている。
【００２２】
吐水部６１０は、不図示の給水管等と接続され、排水口５２１に対して洗浄水を供給可能に構成されている。吐水部６１０は、さらに除菌水生成部などを有し、排水口５２１に対して除菌水を供給可能に構成されていてもよい。この場合、除菌水生成部は、例えば、カウンタ５３０の内部（天板５３１と下カバー５３２との間）に設けられる。
【００２３】
除菌水生成部としては、例えば、塩化物イオンを含む水道水を電気分解することで、次亜塩素酸を含む水を生成するものが用いられる。あるいは、除菌水生成部は、金属イオン水（例えば、銀イオン、銅イオンまたは亜鉛イオンなどの金属イオンを含む水）またはオゾンを含む水を生成するものであってもよい。
【００２４】
制御部６２０は、吐水部６１０からの洗浄水の供給のオン・オフや、洗浄水の瞬間流量などを制御する。排水トラップ洗浄装置が除菌水生成部を有する場合、制御部６２０は、さらに除菌水生成部のオン・オフや除菌水の濃度などを制御可能に構成されていてもよい。図１（ａ）に表す例では、制御部６２０が浴室５００の天井の裏に設けられているが、制御部６２０は、カウンタ５３０の内部など他の場所に設けられていてもよい。
【００２５】
浴室５００の外側には、操作部ＲＣが設けられている。制御部６２０は、操作部ＲＣと接続されており、浴室５００の使用者が、操作部ＲＣを用いて排水トラップ洗浄装置６００を操作することができるように構成されている。
【００２６】
次に、図２〜図４を用いて、実施形態に係る排水トラップ１００について説明する。
図２は、実施形態に係る排水トラップ１００を表す分解斜視図である。
図３は、実施形態に係る排水トラップ１００を表す断面斜視図である。
図４は、実施形態に係る排水トラップ１００を表す断面図である。
なお、図３および図４では、ヘアキャッチャ１３０が省略されている。
【００２７】
図２〜図４に表すように、排水トラップ１００は、トラップ本体１１０、隔壁部材１２０、ヘアキャッチャ１３０、排水ピット１４０、フランジ１５０、および接続部材１６０を有する。
【００２８】
トラップ本体１１０の左側部は、左側方に延び、接続部材１６０に接続されている。接続部材１６０は、浴槽５１０の排水口に接続されており、浴槽５１０の水は、接続部材１６０を通ってトラップ本体１１０内に流れる。
トラップ本体１１０の右側部は、右側方に延び、出水口１８１を形成している。また、トラップ本体１１０の右側部は、上方に向けて屈曲している。
【００２９】
トラップ本体１１０の上部には、開口部１１１が設けられ、入水口１８０（図４を参照）が形成されている。開口部１１１が形成された部分では、トラップ本体１１０の壁面が上方に向けて屈曲しており、これにより屈曲部１１２（図４を参照）が形成されている。
なお、トラップ本体１１０は、複数の筒状部材が連結され、一体に構成されたものであってもよい。
【００３０】
図３および図４に表すように、隔壁部材１２０は、トラップ本体１１０内部の出水口１８１に設けられている。具体的には、隔壁部材１２０は、出水口１８１の左端に着脱可能に設けられた板状の部材である。
【００３１】
隔壁部材１２０は、開口ＯＰを有する。接続部材１６０や入水口１８０からトラップ本体１１０内に流れ込んだ水は、この開口ＯＰを通じて出水口１８１を流れ、出水口１８１に接続された不図示の配管へ排出される。また、開口ＯＰの上端は、出水口１８１の右端底部よりも下方に位置している。これにより、トラップ本体１１０と隔壁部材１２０とによって、トラップ本体１１０内部に水が一時的に貯留され、封水が形成される。
【００３２】
出水口１８１の右端内部には突出部１１３が設けられている。突出部１１３が設けられることで、トラップ本体１１０の封水の深さを深くすることができる。これにより、封水の蒸発や逆圧などにより封水機能が損なわれる可能性を低減することができる。  
【００３３】
排水ピット１４０は、内面が中心に向けて下方に傾斜するとともに、下方に向かうほどその幅が狭くなっている。排水ピット１４０は、例えば、洗い場床５２０に固定されている。
【００３４】
排水ピット１４０の下端は、トラップ本体１１０の開口部１１１の上に設けられ、この排水ピット１４０の下端の上に、フランジ１５０が設けられている。開口部１１１の内側およびフランジ１５０の外側には、ネジ溝が形成され、開口部１１１とフランジ１５０とは締結されている。排水ピット１４０の下端は、パッキン１５１を介して、開口部１１１とフランジ１５０との間に挟み込まれ、固定されている。
【００３５】
ヘアキャッチャ１３０は、入水口１８０（開口部１１１の内側）に着脱可能に設けられている。ヘアキャッチャ１３０の一部は網目状に形成されており、毛髪などの異物がトラップ本体１１０に入ることを抑制している。
【００３６】
図５は、実施形態に係る排水トラップ１００が有する隔壁部材１２０の一例を表す斜視図である。
図５に表すように、隔壁部材１２０は、隔壁部１２１、当接部１２２、およびＯリング１２３を有する。
【００３７】
隔壁部１２１は、隔壁部材１２０の中心に設けられ、出水口１８１を流れる水を遮っている。開口ＯＰは、この隔壁部１２１の下部に形成されている。当接部１２２は、隔壁部１２１の周りに設けられている。当接部１２２は、トラップ本体１１０の内壁面に、Ｏリング１２３を介して当接される。これにより、隔壁部材１２０が、トラップ本体１１０に対して着脱可能に取り付けられる。
【００３８】
ここで、図６を参照しつつ、本実施形態による作用および効果について説明する。
図６は、参考例に係る排水トラップ１を表す断面図である。
排水トラップ１は、隔壁部材１２０に代えて封水筒１７０を有する点で、排水トラップ１００と相違する。
【００３９】
図６（ａ）は、排水トラップ１が設けられた浴室を使用した後の、排水トラップ１の状態を表している。図６（ａ）に表すように、浴室使用後の排水トラップ内には、様々な汚れが存在する。これらの汚れは、主に、沈殿汚れＡと、浮遊汚れＢと、に分けることができる。沈殿汚れＡは、水Ｗよりも密度が大きく、トラップ本体１１０の底に沈殿している。浮遊汚れＢは、水Ｗよりも密度が小さく、水Ｗに浮いている。沈殿汚れＡは、例えば、人体の皮脂や角質が固まったもの、泥などである。浮遊汚れＢは、例えば、シャンプーや石鹸の泡、泡に包まれた皮脂や角質などである。
【００４０】
図６（ｂ）は、排水トラップ１に対して、内部の沈殿汚れＡおよび浮遊汚れＢを排出するために、大流量の洗浄水を入水口１８０に供給したときの様子を表している。
図６（ｂ）に表すように、大流量の洗浄水が供給されると、排水トラップ１の底部に沈殿していた沈殿汚れＡが一時的に浮き上がり、出水口１８１から排水トラップ１の外に排出される。同様に、浮遊汚れＢの一部も、出水口１８１から排水トラップ１の外に排出される。
【００４１】
一方で、大流量の洗浄水が排水トラップ１に供給されると、水Ｗの水位が出水口１８１の上流側の上端よりも高くなり、浮遊汚れＢの一部が、出水口１８１の上壁に形成された凹部Ｐ（屈曲部１１２と封水筒１７０との間隙）に入り込んでしまう。凹部Ｐに入り込んだ浮遊汚れＢは、出水口１８１に向けて流れずに残留するため、排水トラップ１外へ排出され難い。
【００４２】
この点について、本実施形態に係る排水トラップ１００では、封水筒１７０に代えて隔壁部材１２０がトラップ本体１１０内部に設けられ、トラップ本体１１０と隔壁部材１２０によって封水が形成されている。トラップ本体１１０と隔壁部材１２０によって封水を形成することで、入水口１８０から出水口１８１に至る流路の上壁に凹部Ｐが形成されない。このため、排水トラップの封水を置換するために大流量の洗浄水を供給した際に、排水トラップ内における浮遊汚れの残留を抑制することができる。
【００４３】
加えて、本実施形態に係る排水トラップ１００では、隔壁部材１２０が、トラップ本体１１０の側壁（入水口１８０の内壁）よりも入水口１８０の内側に向けて突出しないように、入水口１８０の内壁面に沿って設けられている。このため、入水口１８０を通してトラップ本体１１０内部を清掃する際に、隔壁部材１２０が清掃の妨げにならず、排水トラップ１００の清掃性を向上させることができる。
すなわち、本実施形態によれば、大流量の洗浄水を供給した際の排水トラップにおける浮遊汚れの残留を抑制しつつ、排水トラップの清掃性を向上させることが可能となる。
【００４４】
また、排水トラップに十分な深さの封水を形成しつつ、排水トラップにおける排水性能を高めるためには、排水トラップの鉛直方向の寸法を長くし、出水口１８１の径を大きくすることが有効である。しかし、排水トラップが設けられる環境によっては、鉛直方向の寸法が長いものを設置できない場合もある。
この点について、本実施形態に係る排水トラップ１００では、開口ＯＰの水平方向における寸法Ｄ１が、鉛直方向における寸法Ｄ２よりも長く形成されている。換言すると、出水口１８１において、隔壁部材１２０によって塞がれていない部分で形成される開口断面の形状は、鉛直方向よりも水平方向のほうが長い扁平形状である。
このような構造を採用することで、排水トラップの鉛直方向の寸法を長くすることなく、開口断面の面積を増加させ、排水トラップの排水性能を高めることが可能となる。
【００４５】
また、出水口１８１において、隔壁部材１２０が設けられる位置は、任意である。入水口１８０から隔壁部材１２０が見えないように、出水口１８１に隔壁部材１２０が設けられていてもよい。
ただし、排水トラップ１００の清掃性をさらに高めるためには、隔壁部材１２０がトラップ本体１１０に着脱可能に設けられていることが望ましい。こうすることで、排水トラップ１００の清掃時に隔壁部材１２０を取り外すことができる。従って、配管内の高圧洗浄時などに出水口１８１や、出水口１８１の下流に接続された配管などの内部の洗浄が容易となり、排水トラップ１００の清掃性をさらに高めることができる。
【００４６】
なお、隔壁部材１２０の具体的な構造や形状等は適宜変更可能である。
図７は、実施形態に係る排水トラップ１００が有する隔壁部材１２０の他の一例を表す斜視図である。
図７に表す隔壁部材１２０は、その形状が、図５に表す例と異なり、四角状に形成されている。このため、隔壁部１２１および開口ＯＰも同様に、四角状を呈している。このように、開口ＯＰを四角状にすることで、図５に表す例に比べて、開口ＯＰの面積を広げ、排水トラップ１００の排水性能を高めることが可能となる。
【００４７】
（変形例）
図８は、実施形態の変形例に係る排水トラップ１００ａを表す断面図である。
なお、図８（ａ）は、排水トラップ１００ａに水が流れていないときの様子を表し、図８（ｂ）は、排水トラップ１００ａに大流量の水が流れているときの様子を表している。
排水トラップ１００ａは、隔壁部材１２０に代えて隔壁部材１２０ａを備える点で、排水トラップ１００と相違する。
【００４８】
隔壁部材１２０ａでは、隔壁部１２１が、入水口１８０から出水口１８１への水の流れに沿って可動に構成されている。また、隔壁部材１２０ａには、不図示の付勢手段が設けられている。付勢手段は、隔壁部材１２０ａによって塞がれていない部分で形成される開口断面の面積が小さくなるように、隔壁部１２１を押圧している。
【００４９】
これらの構成により、隔壁部材１２０ａでは、出水口１８１を流れる水の流量に応じて、開口断面の形状が変化する。すなわち、出水口１８１に水が流れていないか、出水口１８１を流れる水の流量が小さいときは、隔壁部１２１が水から受ける力が小さく、付勢手段によって隔壁部１２１が閉じられ、隔壁部材１２０ａの開口断面積が小さい。一方で、出水口１８１を流れる水の流量が大きくなると、隔壁部１２１が水から受ける力が大きくなり、隔壁部材１２０ａの開口断面積も大きくなる。
【００５０】
または、隔壁部材１２０ａは、出水口１８１を流れる水の流量に応じて変形するものであってもよい。すなわち、隔壁部材１２０ａは、出水口１８１を流れる水の流量が大きくなるほど、その変位量が大きくなり、隔壁部材１２０ａの開口断面積が大きくなるものであってもよい。
【００５１】
このように、水の流れを利用して可動または変形するように隔壁部材を構成することで、排水トラップの鉛直方向の寸法を長くすることなく、排水トラップ１００を流れる水の流量に応じて排水トラップ１００の排水性能を一時的に高めることが可能となる。
【００５２】
なお、隔壁部材１２０ａの外縁の形状や隔壁部１２１の形状は、適宜変更可能である。これらの形状は、例えば、図５に表したように円形状でも良いし、図７に表したように四角形状でもよい。
また、排水トラップ１００の清掃性向上のために、隔壁部材１２０ａは、隔壁部材１２０と同様に、トラップ本体１１０に着脱可能に取り付けられていることが望ましい。
【００５３】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、トラップ本体１１０や隔壁部材１２０などが備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００５４】
１、１００、１００ａ 排水トラップ、  １１０ トラップ本体、  １１１ 開口部、  １１２ 屈曲部、  １１３ 突出部、  １２０、１２０ａ 隔壁部材、  １２１ 隔壁部、  １２２ 当接部、  １２３ Ｏリング、  １３０ ヘアキャッチャ、  １４０ 排水ピット、  １５０ フランジ、  １５１ パッキン、  １６０ 接続部材、  １７０ 封水筒、  １８０ 入水口、  １８１ 出水口、  ５００ 浴室、  ５１０ 浴槽、  ５２０ 洗い場床、  ５２１ 排水口、  ５３０ カウンタ、  ５３１ 天板、  ５３２ 下カバー、  ６００ 排水トラップ洗浄装置、  ６１０ 吐水部、  ６２０ 制御部、  Ａ 沈殿汚れ、  Ｂ 浮遊汚れ、  ＯＰ 開口、  Ｐ 凹部、  ＲＣ 操作部、  Ｗ 水
【図１】
2017201082.tif 000003
【図２】
2017201082.tif 000004
【図３】
2017201082.tif 000005
【図４】
2017201082.tif 000006
【図５】
2017201082.tif 000007
【図６】
2017201082.tif 000008
【図７】
2017201082.tif 000009
【図８】
2017201082.tif 000010